(57)【要約】【課題】表示部の縁に設けた突出部の損傷を防止する梱包材等を提供すること。【解決手段】梱包材は、一面に表示面を有する表示部７１の縁を囲む長方形枠状の額縁部と、該額縁部の第１辺から前記表示面に垂直な向きに突出する突出部７３とを有する表示装置７０を梱包する梱包材において、前記額縁部の前記第１辺の前記突出部７３を含まない一部と、前記第１辺に隣接する第２辺と、該第２辺に隣接する第３辺の一部とを覆い、厚さ方向の寸法が前記突出部７３の突出量よりも大きい保護板３１と、前記保護板３１を前記表示装置に固定する固定部材３３とを備える。【選択図】図６
2018131267.tif 000002
【特許請求の範囲】
【請求項１】
一面に表示面を有する表示部の縁を囲む長方形枠状の額縁部と、該額縁部の第１辺から前記表示面に垂直な向きに突出する突出部とを有する表示装置を梱包する梱包材において、
前記額縁部の前記第１辺の前記突出部を含まない一部と、前記第１辺に隣接する第２辺と、該第２辺に隣接する第３辺の一部とを覆い、厚さ方向の寸法が前記突出部の突出量よりも大きい保護板と、
前記保護板を前記表示装置に固定する固定部材と
を備えることを特徴とする梱包材。
【請求項２】
前記保護板と貼り合わされており、該保護板と前記表示面との間に配置され、縁が前記表示面の反対側に折り返される保護シートを備える
ことを特徴とする、請求項１に記載の梱包材。
【請求項３】
前記保護板は、前記表示面に当接する当接体を備えることを特徴とする、請求項１または請求項２に記載の梱包材。
【請求項４】
前記当接体は柱状であり、長手方向が前記第２辺に平行に配置されていることを特徴とする、請求項３に記載の梱包材。
【請求項５】
前記保護板は、前記第２辺側の縁と前記当接体との間に、前記縁に平行な谷折部および山折部の２本の折り目を備えることを特徴とする、請求項３または請求項４に記載の梱包材。
【請求項６】
長方形の保護板により、第２辺と該第２辺に隣接する第１辺および第３辺のそれぞれ一部とが覆われた長方形枠状の額縁部と、
一面に表示面を有し、前記額縁部により周縁を囲まれた表示部と
前記第１辺の前記保護板に覆われていない部分から前記表示面に垂直な向きに突出する突出部と
を備えることを特徴とする表示装置。
【請求項７】
請求項６に記載の表示装置と、
テレビジョン放送を受信する受信部と
を備え、
前記受信部にて受信したテレビジョン放送に基づいて、前記表示装置に映像を表示するようにしてあることを特徴とするテレビジョン受信機。
【請求項８】
一面に表示面を有する表示部の縁を囲む長方形枠状の額縁部と、該額縁部の第１辺から前記表示面に垂直な向きに突出する突出部とを有する表示装置を梱包する梱包方法において、
前記額縁部の前記第１辺の前記突出部を含まない一部と、該第１辺に隣接する第２辺と、該第２辺に隣接する第３辺の一部とを、厚さ方向の寸法が前記突出部の突出量よりも大きい保護板で覆い、
前記保護板を前記表示装置に固定する
ことを特徴とする梱包方法。
【発明の詳細な説明】
【技術分野】
【０００１】
本発明は、梱包材、表示装置、テレビジョン受信機および梱包方法に関する。
【背景技術】
【０００２】
映像を表示する表示パネルを備える薄型の表示装置が使用されている。輸送中の振動、転倒、落下等による表示装置の損傷を防ぐために、表示装置は輸送用の箱、および、箱と表示装置との間に入れる保護材等を組み合わせた梱包材に梱包した状態で出荷される。
【０００３】
表示装置の表示部にスポンジ板を当接させ、スポンジ板および表示装置の周囲に段ボール板を巻き回す梱包材が開示されている（特許文献１）。表示部をスポンジ板により与圧することにより、輸送中の振動等による表示部の損傷を防止できる。
【先行技術文献】
【特許文献】
【０００４】
【特許文献１】特開２００６−２３２３６０号公報
【発明の概要】
【発明が解決しようとする課題】
【０００５】
しかしながら、特許文献１には、表示部の縁にユーザインターフェイス等に用いる突出部を設けた場合に、突出部の損傷を防止可能な梱包材は開示されていない。
【０００６】
一つの側面では、表示部の縁に設けた突出部の損傷を防止する梱包材等を提供することを目的とする。
【課題を解決するための手段】
【０００７】
本発明にかかる梱包材は、一面に表示面を有する表示部の縁を囲む長方形枠状の額縁部と、該額縁部の第１辺から前記表示面に垂直な向きに突出する突出部とを有する表示装置を梱包する梱包材において、前記額縁部の前記第１辺の前記突出部を含まない一部と、前記第１辺に隣接する第２辺と、該第２辺に隣接する第３辺の一部とを覆い、厚さ方向の寸法が前記突出部の突出量よりも大きい保護板と、前記保護板を前記表示装置に固定する固定部材とを備えることを特徴とする。
【０００８】
本発明にかかる梱包材は、前記保護板と貼り合わされており、該保護板と前記表示面との間に配置され、縁が前記表示面の反対側に折り返される保護シートを備えることを特徴とする。
【０００９】
本発明にかかる梱包材は、前記保護板は、前記表示面に当接する当接体を備えることを特徴とする。
【００１０】
本発明にかかる梱包材は、前記当接体は柱状であり、長手方向が前記第２辺に平行に配置されていることを特徴とする。
【００１１】
本発明にかかる梱包材は、前記保護板は、前記第２辺側の縁と前記当接体との間に、前記縁に平行な谷折部および山折部の２本の折り目を備えることを特徴とする。
【００１２】
本発明にかかる表示装置は、長方形の保護板により、第２辺と該第２辺に隣接する第１辺および第３辺のそれぞれ一部とが覆われた長方形枠状の額縁部と、一面に表示面を有し、前記額縁部により周縁を囲まれた表示部と前記第１辺の前記保護板に覆われていない部分から前記表示面に垂直な向きに突出する突出部とを備えることを特徴とする。
【００１３】
本発明にかかるテレビジョン受信機は、上述の表示装置と、テレビジョン放送を受信する受信部とを備え、前記受信部にて受信したテレビジョン放送に基づいて、前記表示装置に映像を表示するようにしてあることを特徴とする。
【００１４】
本発明にかかる梱包方法は、一面に表示面を有する表示部の縁を囲む長方形枠状の額縁部と、該額縁部の第１辺から前記表示面に垂直な向きに突出する突出部とを有する表示装置を梱包する梱包方法において、前記額縁部の前記第１辺の前記突出部を含まない一部と、該第１辺に隣接する第２辺と、該第２辺に隣接する第３辺の一部とを、厚さ方向の寸法が前記突出部の突出量よりも大きい保護板で覆い、前記保護板を前記表示装置に固定することを特徴とする。
【発明の効果】
【００１５】
一つの側面では、表示部の縁に設けた突出部の損傷を防止する梱包材等を提供することが可能となる。
【図面の簡単な説明】
【００１６】
【図１】梱包材の構成を示す分解斜視図である。
【図２】表示装置の斜視図である。
【図３】保護体の平面図である。
【図４】保護シートの正面図である。
【図５】保護体の取り付け方を示す説明図である。
【図６】保護体を取り付けた表示装置の断面図である。
【図７】図６におけるＡ部の拡大図である。
【図８】実施の形態２の保護体を取り付けた表示装置の正面図である。
【図９】図８のＩＸ−ＩＸ線による断面図である。
【図１０】図９におけるＢ部の拡大図である。
【図１１】実施の形態３の保護体を取り付けた表示装置の正面図である。
【図１２】実施の形態３の保護体を取り付けた表示装置の断面図である。
【図１３】図１２におけるＣ部の拡大図である。
【図１４】実施の形態３の保護体の正面図である。
【図１５】実施の形態３の保護板および保護シートの展開図である。
【図１６】実施の形態３の当接体の斜視図である。
【図１７】実施の形態４の保護体の斜視図である。
【図１８】大型の表示装置と保護体とを示す説明図である。
【図１９】中型の表示装置と保護体とを示す説明図である。
【図２０】小型の表示装置と保護体とを示す説明図である。
【図２１】保護体３０の拡大側面図である。
【図２２】大型、中型および小型の表示装置に取り付けた保護体を示す説明図である。
【発明を実施するための形態】
【００１７】
［実施の形態１］
図１は、梱包材の構成を示す分解斜視図である。以下の説明では、各図中に矢印で示す前、後、左、右、上および下のそれぞれの向きを使用する。本実施の形態の梱包材１０は、図中に二点鎖線で示す略長方形板状の表示装置７０の梱包に使用される。
【００１８】
梱包材１０は、上箱１１、下箱２１および２個の保護体３０を含む。下箱２１は、長方形の底の長辺から立ち上がる２枚の長側壁２２１および２枚の短側壁２２２を有する段ボール製の箱である。下箱２１の中に、発泡スチロール製の下側保持体４２が入れられている。下側保持体４２は、表示装置７０の下部の形状に合わせた窪み４４を有する皿状である。表示装置７０は、窪み４４に保持されている。下側保持体４２は、複数のブロックに分かれていてもよい。
【００１９】
２枚の長側壁２２１には、それぞれ２個の下固定孔２９が設けられている。下側保持体４２の下固定孔２９に対応する部分は、保持体孔４３が設けられている。
【００２０】
上箱１１は、前壁１２、右壁１４、後壁１３および左壁１５により四方を囲まれた段ボール製の箱である。上箱１１の上側は、上蓋１７により開閉自在に覆われている。上蓋１７は前壁１２および後壁１３のそれぞれの上側に連続して設けられている。図１では、上蓋１７は開いた状態と閉じた状態の中間の状態で示されている。前壁１２および後壁１３には、下固定孔２９と対応する位置に上固定孔１９が設けられている。
【００２１】
上箱１１は、下箱２１に上側からかぶせられる。上固定孔１９、下固定孔２９および保持体孔４３に固定具４１が挿入される。以上により、下箱２１と上箱１１とが連結される。
【００２２】
上箱１１の上部から、表示装置７０を床の上等に支持するスタンド７９（図２参照）、表示装置７０の取扱説明書、およびケーブル等の付属品、ならびに、これらの付属品を所定の位置に保持する上側保持体が、所定の位置に配置される。その後、上蓋１７が閉じられて、テープ等により固定される。
【００２３】
以上のようにして、表示装置７０を梱包した梱包材１０は、たとえば右壁１４および左壁１５に設けられた持ち手孔１８を利用して運搬することができる。
【００２４】
図２は、表示装置７０の斜視図である。表示装置７０は、液晶表示パネル等の長方形板状の表示部７１を前側に備える。表示装置７０は、後面に取り付けられたスタンド７９により、床または机等の平面の上に横長に立てた状態に支持される。なお、前述のようにスタンド７９と表示装置７０とは分離した状態で梱包材１０に同梱されて、設置場所まで輸送された後に、組み付けられる。
【００２５】
表示部７１の周縁部は、長方形枠状の額縁部７２により覆われている。額縁部７２は、表示部７１の下側の長辺に沿う第１辺７２１、表示部７１の左右の短辺に沿う第２辺７２２および表示部７１の上側の長辺に沿う第３辺７２３を含む。第１辺７２１の中央部分から、前向きに突出部７３が突出する。突出量は、たとえば９ミリメートル程度である。
【００２６】
突出部７３は、たとえばユーザによるリモコン操作等に連動して、斜め上前方に光を放射する発光部を備える。突出部７３が放射する光は、表示部７１に映り込まずに直接ユーザの眼に入るため、表示部７１に表示される映像の品位を低下させることなく、光による演出を行うユーザインターフェイスを提供することができる。
【００２７】
突出部７３は、表示装置７０の周囲にいる人間を検出する人感センサ、テレビ会議用のカメラ、または、音声を取得するマイク等の機器を備えても良い。
【００２８】
表示装置７０は、内部にテレビジョン放送を受信する受信部７５を有するテレビジョン受信機７６であっても良い。テレビジョン受信機７６の表示部７１は、受信部７５が受信したテレビジョン放送を表示する。
【００２９】
図３は、保護体３０の平面図である。保護体３０は、保護板３１と保護シート３２とを備える。保護板３１と保護シート３２とは、重ねあわされている。図１から図３を使用して、保護体３０の構造を説明する。
【００３０】
保護板３１は、長辺が表示装置７０の短辺と略同一長さ、短辺が表示装置７０の短辺と突出部７３との間の距離の半分程度の長さの、長方形の板である。保護板３１の一面は、保護シート３２により覆われている。保護シート３２の構造の詳細については後述する。
【００３１】
保護板３１の素材は特に限定されないが、軽量で安価な段ボール板が望ましい。保護板３１の素材は、ボール紙、樹脂製の板等であっても良い。保護板３１の厚さ方向の寸法は、突出部７３の突出量よりも十分に大きく、たとえば１７ミリメートル程度である。
【００３２】
ここで、十分に大きくとは、平板上に配置した保護体３０の上に表示装置７０を載せて、表示装置７０の重量により厚さ方向に圧縮した場合であっても、保護体３０の厚さ方向の寸法が突出部７３の突出量よりも大きいままであることを意味する。
【００３３】
図４は、保護シート３２の正面図である。保護シート３２は、長辺、短辺ともに保護板３１よりも長い長方形のシートである。図４に示すように、保護シート３２は保護板３１と同一寸法の貼合部３４と、その周囲を囲む外周部３５とを有する。貼合部３４の長辺と、保護シート３２の一方の長辺との間の距離は、保護板３１の厚さと同程度である。
【００３４】
保護シート３２の厚さは、１ミリメートル程度である。保護シート３２の材質は、たとえば発泡ポリエチレンまたは発泡ポリプロピレン等の、柔軟で、表示部７１の表面を傷つけにくい材料である。貼合部３４に、両面テープまたは接着剤により保護板３１が固定される。
【００３５】
図５は、保護体３０の取り付け方を示す説明図である。図６は、保護体３０を取り付けた表示装置７０の断面図である。図６においては、表示装置７０の内部構造は図示を省略する。図７は、図６におけるＡ部の拡大図である。図７においては、表示部７１および額縁部７２を除く表示装置７０の内部構造は図示を省略する。図５から図７を使用して、保護体３０の取り付け方を説明する。
【００３６】
図５に示すように保護シート３２を表示部７１側に向けた保護体３０により表示装置７０の左右の縁の額縁部７２の前側の面をそれぞれ覆う。保護板３１の一方の長辺を表示部７１の短辺に、両方の短辺を表示部７１の長辺にそれぞれ合わせる。外周部３５を表示装置７０の後面に折り返し、粘着テープ等の固定部材３３により固定する。
【００３７】
保護体３０が取り付けられた表示装置７０は、図６に二点鎖線で示す下側保持体４２に設けた窪み４４に保持される。なお、保護体３０が固定された表示装置７０は、薄くて柔軟な保護袋に包まれた状態で、窪み４４に保持されても良い。
【００３８】
図７に示すように、額縁部７２は表示部７１よりも前側に突出しているので、保護体３０は表示部７１に接触しない。仮に、輸送中の振動、外力等により表示装置７０または保護体３０が変形し、両者が接触した場合であっても、保護シート３２は柔らかな材料製であるので表示部７１を傷つけない。
【００３９】
以上のように梱包材１０により梱包され、輸送された表示装置７０の開梱および設置について説明する。
【００４０】
表示装置７０が収納された梱包材１０を、平坦な床等の上に上蓋１７を上側に向けて置く。上蓋１７を開き、スタンド７９、取扱説明書およびケーブル等の付属品、ならびに、これらの付属品を所定の位置に保持する上側保持体を取り出す。固定具４１を外し、上箱１１と下箱２１との連結を解除する。上箱１１を図１における上方向に引き上げて、取り外す。
【００４１】
表示装置７０の側面等、表示部７１以外の部分を掴んで、下側保持体４２および下箱２１から取り外す。誤って図２にＰで示す表示部７１の上面を掴んだ場合であっても、表示部７１の前側には保護板３１が配置されているので、表示部７１の損傷を防止できる。
【００４２】
表示装置７０を、机等の作業台の上に表示部７１側を下にして伏せ置きする。保護板３１および保護シート３２は、表示装置７０の重量により圧縮される。前述のとおり、保護板３１の厚さ方向の寸法は、圧縮された場合であっても突出部７３の突出量よりも大きいままである。
【００４３】
表示装置７０は、保護板３１および保護シート３２の厚さの分、作業台から浮かんだ状態に保持される。突出部７３は作業台に触れない。以上により、伏せ置きした際の突出部７３の損傷を防止できる。
【００４４】
表示装置７０の後面に設けた固定部に、スタンド７９を固定する。その後、スタンド７９を下にして、表示装置７０を立てた状態に設置する。保護体３０を表示装置７０から取り外す。電源ケーブル、映像信号の入力ケーブル、テレビジョン用のアンテナ等を接続して、表示装置７０の設置が完了する。
【００４５】
本実施の形態によると、スタンド７９の取り付け等のために表示部７１を下にして表示装置７０を伏せ置きした場合に、表示部７１の縁に設けた突出部７３の損傷を防止することができる。また、本実施の形態によると、開梱時に表示部７１を掴んだ場合に、表示部７１の損傷を防止することもできる。
【００４６】
［実施の形態２］
本実施の形態は、保護体３０に、表示部７１の中央部に当接する当接体５１を備える梱包材１０に関する。実施の形態１と共通する部分については、説明を省略する。
【００４７】
図８は、実施の形態２の保護体３０を取り付けた表示装置７０の正面図である。図９は、図８のＩＸ−ＩＸ線による断面図である。図９においては、表示装置７０の内部構造は図示を省略する。図１０は、図９におけるＢ部の拡大図である。図１０においては、表示部７１以外の表示装置７０の内部構造は図示を省略する。
【００４８】
本実施の形態の保護体３０は、保護板３１、保護シート３２および当接体５１を備える。保護板３１は、長辺が表示装置７０の短辺と略同一長さ、短辺が表示装置７０の短辺と突出部７３との間の距離の８割程度の長さの、長方形の段ボール板である。
【００４９】
保護板３１の保護シート３２が貼付された側の面に、保護板３１の長辺に沿って角柱状の当接体５１が取り付けてある。なお、当接体５１を取り付ける部分では、図１０に示すように保護シート３２に当接体５１よりも一回り大きい孔が設けられており、保護板３１に当接体５１が直接固定される。
【００５０】
保護体３０は、図８に示すように当接体５１を表示部７１の中央付近に向けた状態で、表示装置７０に固定される。当接体５１の厚さは、図１０に示すように表示装置７０に取り付けた際に表示部７１の表面に当接する程度である。
【００５１】
当接体５１は、たとえば発泡スチロール、発泡ポリエチレン、発泡ポリプロピレンまたはシリコーン等の柔らかな材料製の厚肉のテープを所定の厚さに切断したものである。当接体５１は、粘着材または接着剤等により、保護板３１に固定されている。
【００５２】
本実施の形態によると、表示部７１の中央部に２本の当接体５１が当接する。輸送中に強い振動等が表示装置７０に加わった場合であっても、当接体５１および保護板３１が存在することにより、表示部７１が前側に過度に撓むことが抑制される。これにより、表示部７１の損傷を防止できる。
【００５３】
なお、図１０においては、当接体５１を固定する部分では保護シート３２に孔を設けてあるが、保護シート３２に孔を設けずに、保護シート３２の表面に当接体５１が固定されていても良い。
【００５４】
保護板３１に当接体５１を固定した後に、両者の上を覆うように保護シート３２を貼付しても良い。この場合、当接体５１にたとえば段ボール板等の硬い材料を使用することができる。
【００５５】
［実施の形態３］
本実施の形態は、実施の形態２とは異なる構成の当接体５１を備える梱包材１０に関する。実施の形態２と共通する部分については、説明を省略する。
【００５６】
図１１は、実施の形態３の保護体３０を取り付けた表示装置７０の正面図である。図１２は、実施の形態３の保護体３０を取り付けた表示装置７０の断面図である。図１３は、図１２におけるＣ部の拡大図である。図１４は、実施の形態３の保護体３０の正面図である。
【００５７】
本実施の形態の保護体３０は、角柱状の当接体５１を備える。当接体５１は、保護板３１の一方の長辺に沿って配置されており、保護板３１を貫通して固定されている。当接体５１の構成の詳細は後述する。
【００５８】
保護板３１の、当接体５１が固定された部分の近傍は、長辺に平行な山折部５６および谷折部５７で折り曲げられて表示部７１から離れており、当接体５１の一面が表示部７１に当接した状態に保持されている。
【００５９】
図１４に示すように、保護シート３２は、図１４における谷折部５７の左側の部分の裏側に固定された貼合部３４および貼合部３４を囲む外周部３５を有する。
【００６０】
図１５は、実施の形態３の保護板３１および保護シート３２の展開図である。図１５において、一点鎖線は山折線を示し、破線は谷折線を示す。保護板３１は、図１５における左側の長辺に沿って長方形の保持孔５２を備える。保持孔５２の右側の縁に、保持孔５２の内側に向けて突出する保持突起５４が設けられている。保持孔５２の上側に、保持孔５２の左右の縁に連続する切れ込みに挟まれた保持片５３が設けられている。
【００６１】
図１６は、実施の形態３の当接体５１の斜視図である。前述のとおり当接体５１は角柱状であり、両端面に保持溝５５が設けられている。二つの保持溝５５同士は同一の平面に沿っている。保持溝５５の幅は、保護板３１の厚さと略同一である。
【００６２】
当接体５１は、たとえば発泡スチロール、発泡ポリエチレン、発泡ポリプロピレンまたはスポンジ等の柔らかな材料製である。
【００６３】
図１４から図１６を使用して、保護体３０の製作手順を説明する。保護板３１には、あらかじめ山折線および谷折線に沿って折り曲げやすくする、いわゆる罫線加工が行われている。保護シート３２の貼合部３４と保護板３１とを両面テープまたは接着剤等により固定する。
【００６４】
片方の保持溝５５に保持片５３の先端を差し込む。保持溝５５の奥まで保持片５３の先端を押し込みながら、当接体５１を保持孔５２の中に挿入する。反対側の保持溝５５と、保持孔５２の短辺の縁とを係合させる。以上により、当接体５１が保護板３１に固定される。
【００６５】
罫線加工された線に沿って、保護板３１を山折りおよび谷折りする。以上により、保護体３０が完成する。
【００６６】
本実施の形態の梱包材１０により梱包され、輸送された表示装置７０の開梱および設置について説明する。上箱１１を取り外す工程までは、実施の形態１と同様であるので説明を省略する。
【００６７】
当接体５１を下向きにスライドさせて、保持片５３と保持溝５５との係合を外す。その後当接体５１を上向きに引き抜いて、保護板３１から取り外す。
【００６８】
表示装置７０の側面等、表示部７１以外の部分を掴んで、下側保持体４２および下箱２１から取り外す。表示装置７０を、机等の作業台の上に表示部７１側を下にして伏せ置きする。表示装置７０の下面または後面に、スタンド７９を固定する。その後、スタンド７９を下にして、表示装置７０を立てた状態に設置する。保護体３０を表示装置７０から取り外す。電源ケーブル、映像信号の入力ケーブル等を接続して、表示装置７０の設置が完了する。
【００６９】
本実施の形態によると、角柱状の当接体５１および保護板３１を折り曲げた部分の弾性により、輸送時の振動等による表示部７１の損傷を防止する効果が高い梱包材１０を提供することが可能である。
【００７０】
なお、保護板３１を山折部５６または谷折部５７に沿って切り離し可能にしておき、切り離すことにより当接体５１を取り外しても良い。保護シート３２の外周部３５が、図１４の左側に広がっていて、当接体５１と表示部７１との間に配置されても良い。
【００７１】
［実施の形態４］
本実施の形態は、表示装置７０の後面の一部も覆う保護板３１を備える梱包材１０に関する。実施の形態１と共通する部分については、説明を省略する。
【００７２】
図１７は、実施の形態４の保護体３０の斜視図である。本実施の形態の保護体３０は、保護板３１および保護シート３２を備える。保護板３１は、長辺が表示装置７０の短辺と略同一長さ、短辺が表示装置７０の短辺と突出部７３との間の距離の半分程度の長さの前面部３１１の両方の短辺に連続して、同一方向に突出する側面部３１２、および、互いに向き合う方向に突出する後面部３１３を備える。
【００７３】
側面部３１２は前面部３１１の短辺と同じ長さの長辺と、表示装置７０の前後方向の寸法と略同一長さの短辺とを有する。後面部３１３は、前面部３１１の短辺と同じ長さの長辺を有する。保護板３１の一面に、保護シート３２が固定されている。
【００７４】
保護板３１は、一面に保護シート３２を固定した長方形の段ボール板を、短辺に平行な４本の山折線により折り曲げて作成されている。
【００７５】
本実施の形態によると、図６を使用して説明したように窪み４４に表示装置７０を保持する際に、表示装置７０の底面に当接する部分の保護板３１が表示装置７０と下側保持体４２との間に挟みこまれる。そのため、輸送中等に位置ずれしにくい保護体３０を備える梱包材１０を提供することが可能である。
【００７６】
［実施の形態５］
本実施の形態は、複数の寸法の表示装置に共通して使用できる保護体３０に関する。実施の形態１と共通する部分については、説明を省略する。
【００７７】
図１８は、大型の表示装置７０と保護体３０とを示す説明図である。図１９は、中型の表示装置７０と保護体３０とを示す説明図である。図２０は、小型の表示装置７０と保護体３０とを示す説明図である。以後の説明では特に区別する図２１は、保護体３０の拡大側面図である。
【００７８】
図２１に示すように、保護板３１は、２枚の表面紙３１５で中芯３１６を挟んだ構造の段ボール板である。なお、図示を省略するが保護板３１は複数の段ボール板を所定の厚さに積層した構造であり、中芯３１６は多層構造である。保護板３１の目方向、すなわち中芯３１６の中空部分が流れる方向は、上下方向である。
【００７９】
保護板３１は、前側の表面紙３１５および中芯３１６を切断し、後側の表面紙３１５および保護シート３２を切断しない切込部３８を有する。切込部３８は、長方形の保護板３１の短辺に平行に複数設けられている。保護体３０は、切込部３８に沿って保護シート３２側に容易に折り曲げることができる。切込部３８は、保護板３１の目方向と垂直であるので、中芯の波形状の影響を受けずに保護板３１を折り曲げることができる。
【００８０】
図１８に示すように、保護板３１の長辺の長さは、大型の表示装置７０の額縁部７２の短辺側の外寸と略同一である。図１９に示すように、保護板３１の下辺から、中型の表示装置７０の額縁部７２の短辺側の外寸と略同一の位置に、切込部３８が設けられている。図２０に示すように、保護板３１の下辺から、小型の表示装置７０の額縁部７２の短辺側の外寸と略同一の位置に、切込部３８が設けられている。
【００８１】
図２２は、大型、中型および小型の表示装置７０に取り付けた保護体３０を示す説明図である。図２２においては、保護シート３２を省略し、表示装置７０と保護板３１との関係を示す。
【００８２】
図２２の左端は、大型の表示装置７０と保護板３１との関係を示す。保護板３１は、折り曲げられていない。表示装置７０に取り付けられた状態では、切込部３８を折り曲げる力は働かないので、保護板３１は前述の実施の形態１の保護板３１と同様に機能する。
【００８３】
図２２の中央は、中型の表示装置７０と保護板３１との関係を示す。保護板３１は、上側の２本の切込部３８で後側に折り曲げられている。図２２の右端は、小型の表示装置７０と保護板３１との関係を示す。保護板３１は、上側の４本の切込部３８で後側に折り曲げられている。保護板３１のうち、表示装置７０の上下方向の寸法に比べて大きすぎる余剰の部分は、表示装置７０の上面を通って後面に折り曲げられる。表示装置７０の上下方向の大きさの差よりも細かい刻みで切込部３８を設けることにより、折り曲げられた部分を、表示装置７０の外形に沿わせることができる。
【００８４】
一般的に、表示装置の上部は下部に比べて薄いので、図２２に示すように保護板３１を折り曲げて取り付けた場合であっても、図１を使用して説明した梱包材１０に保護体３０を取り付けた表示装置７０を収容することができる。
【００８５】
本実施の形態によると、複数の大きさの表示装置７０に共通して使用可能な保護体３０を提供することができる。保護板３１は、使用する可能性がある表示装置７０それぞれの寸法に応じた切込部３８を有することができる。切込部３８の近傍に、表示装置７０の機種ごとの折り曲げ位置を示す記号等を印刷しておくことにより、表示装置７０に保護体３０を取り付ける作業を容易に行うことができる。
【００８６】
保護板３１は、例えば上側の三分の一程度の部分に、たとえば５ミリメートル刻みに切込部３８を有しても良い。将来の製品も含めた任意の寸法の表示装置７０に共通して使用可能な保護体３０を提供することができる。保護体３０は、突出部７３を備えない表示装置を梱包する際にも使用することができる。
【００８７】
各実施例で記載されている技術的特徴（構成要件）はお互いに組合せ可能であり、組み合わせすることにより、新しい技術的特徴を形成することができる。
今回開示された実施の形態はすべての点で例示であって、制限的なものではないと考えられるべきである。本発明の範囲は、上記した意味ではなく、特許請求の範囲によって示され、特許請求の範囲と均等の意味および範囲内でのすべての変更が含まれることが意図される。
【００８８】
以上のように、本発明にかかる梱包材１０は、一面に表示面を有する表示部７１の縁を囲む長方形枠状の額縁部７２と、該額縁部７２の第１辺７２１から前記表示面に垂直な向きに突出する突出部７３とを有する表示装置７０を梱包する梱包材１０において、前記額縁部７２の前記第１辺７２１の前記突出部７３を含まない一部と、前記第１辺７２１に隣接する第２辺７２２と、該第２辺７２２に隣接する第３辺７２３の一部とを覆い、厚さ方向の寸法が前記突出部７３の突出量よりも大きい保護板３１と、前記保護板３１を前記表示装置７０に固定する固定部材３３とを備えることを特徴とする。
【００８９】
本発明にあっては、スタンド７９の取り付け等のために表示部７１を下にして表示装置７０を伏せ置きした場合に、表示部７１の縁に設けた突出部７３の損傷を防止することができる。また、本発明によると、開梱時に誤って表示部７１を掴んだ場合であっても、表示部７１の損傷を防止することもできる。
【００９０】
本発明にかかる梱包材１０は、前記保護板３１と貼り合わされており、該保護板３１と前記表示面との間に配置され、縁が前記表示面の反対側に折り返される保護シート３２を備えることを特徴とする。
【００９１】
本発明にあっては、仮に、輸送中の振動、外力等により表示装置７０または保護体３０が変形し、両者が接触した場合であっても、保護シート３２により表示部７１が保護される。
【００９２】
本発明にかかる梱包材１０は、前記保護板３１は、前記表示面に当接する当接体５１を備えることを特徴とする。
【００９３】
本発明にあっては、輸送中に振動等が表示装置７０に加わった場合であっても、当接体５１および保護板３１が存在することにより、表示部７１が前側に撓むことが抑制される。これにより、表示部７１の損傷を防止できる。
【００９４】
本発明にかかる梱包材１０は、前記当接体５１は柱状であり、長手方向が前記第２辺７２２に平行に配置されていることを特徴とする。
【００９５】
本発明にあっては、輸送中に強い振動等が表示装置７０に加わった場合であっても、当接体５１および保護板３１が存在することにより、表示部７１が前側に過度に撓むことが抑制される。これにより、表示部７１の損傷を防止できる。
【００９６】
本発明にかかる梱包材１０は、前記保護板３１は、前記第２辺７２２側の縁と前記当接体５１との間に、前記縁に平行な谷折部５７および山折部５６の２本の折り目を備えることを特徴とする。
【００９７】
本発明にあっては、輸送中に非常に強い振動等が表示装置７０に加わった場合であっても、当接体５１および保護板３１が存在することにより、表示部７１が前側に過度に撓むことが抑制される。これにより、表示部７１の損傷を防止できる。
【００９８】
本発明にかかる表示装置７０は、長方形の保護板３１により、第２辺７２２と該第２辺７２２に隣接する第１辺７２１および第３辺７２３のそれぞれ一部とが覆われた長方形枠状の額縁部７２と、一面に表示面を有し、前記額縁部７２により周縁を囲まれた表示部７１と前記第１辺７２１の前記保護板３１に覆われていない部分から前記表示面に垂直な向きに突出する突出部７３とを備えることを特徴とする。
【００９９】
本発明にあっては、表示部７１の縁に設けた突出部７３を有し、スタンド７９の取り付け等のために表示部７１を下にして伏せ置きした場合に、突出部７３の損傷を防止する表示装置７０を提供することができる。
【０１００】
本発明にかかるテレビジョン受信機７６は、上述の表示装置７０と、テレビジョン放送を受信する受信部７５とを備え、前記受信部７５にて受信したテレビジョン放送に基づいて、前記表示装置７０に映像を表示するようにしてあることを特徴とする。
【０１０１】
本発明にあっては、表示部７１の縁に設けた突出部７３を有し、スタンド７９の取り付け等のために表示部７１を下にして伏せ置きした場合に、突出部７３の損傷を防止するテレビジョン受信機７６を提供することができる。
【０１０２】
本発明にかかる梱包方法は、一面に表示面を有する表示部７１の縁を囲む長方形枠状の額縁部７２と、該額縁部７２の第１辺７２１から前記表示面に垂直な向きに突出する突出部７３とを有する表示装置７０を梱包する梱包方法において、前記額縁部７２の前記第１辺７２１の前記突出部７３を含まない一部と、該第１辺７２１に隣接する第２辺７２２と、該第２辺７２２に隣接する第３辺７２３の一部とを、厚さ方向の寸法が前記突出部７３の突出量よりも大きい保護板３１で覆い、前記保護板３１を前記表示装置７０に固定することを特徴とする。
【０１０３】
本発明にあっては、スタンド７９の取り付け等のために表示部７１を下にして表示装置７０を伏せ置きした場合に、表示部７１の縁に設けた突出部７３の損傷を防止する梱包方法を提供できる。
【符号の説明】
【０１０４】
１０  梱包材
１１  上箱
１２  前壁
１３  後壁
１４  右壁
１５  左壁
１７  上蓋
１８  持ち手孔
１９  上固定孔
２１  下箱
２２１  長側壁
２２２  短側壁
２９  下固定孔
３０  保護体
３１  保護板
３１１  前面部
３１２  側面部
３１３  後面部
３１５  表面紙
３１６  中芯
３２  保護シート
３３  固定部材
３４  貼合部
３５  外周部
３８  切込部
４１  固定具
４２  下側保持体
４３  保持体孔
４４  窪み
５１  当接体
５２  保持孔
５３  保持片
５４  保持突起
５５  保持溝
５６  山折部
５７  谷折部
７０  表示装置
７１  表示部
７２  額縁部
７２１  第１辺
７２２  第２辺
７２３  第３辺
７３  突出部
７５  受信部
７６  テレビジョン受信機
７９  スタンド
【図１】
2018131267.tif 000003
【図２】
2018131267.tif 000004
【図３】
2018131267.tif 000005
【図４】
2018131267.tif 000006
【図５】
2018131267.tif 000007
【図６】
2018131267.tif 000008
【図７】
2018131267.tif 000009
【図８】
2018131267.tif 000010
【図９】
2018131267.tif 000011
【図１０】
2018131267.tif 000012
【図１１】
2018131267.tif 000013
【図１２】
2018131267.tif 000014
【図１３】
2018131267.tif 000015
【図１４】
2018131267.tif 000016
【図１５】
2018131267.tif 000017
【図１６】
2018131267.tif 000018
【図１７】
2018131267.tif 000019
【図１８】
2018131267.tif 000020
【図１９】
2018131267.tif 000021
【図２０】
2018131267.tif 000022
【図２１】
2018131267.tif 000023
【図２２】
2018131267.tif 000024